(57)【特許請求の範囲】
【請求項１】
屋根材が取り付け部材を用いて建物の構造部材に固定される構造であって、
板状の屋根材本体と、
前記屋根材本体の端部から前記屋根材本体の内側に向かって折り返すように形成された屋根材固定部と、
を有する屋根材と、
前記屋根材固定部を建物の構造部材に取り付ける取り付け部材と、
前記取り付け部材を建物の構造部材に固定する固定部材と、
を備え、
前記屋根材固定部は、前記取り付け部材が取り付けられる凹部を有しており、
前記取り付け部材は、前記固定部材を用いて建物の構造部材に固定されており、
前記固定部材は、建物の構造部材に固定される板状の固定底部と、前記固定底部の中央部に垂設される中空の中央壁と、前記固定底部の一方の端部に垂設される第１側壁と、前記中央壁に対して前記一方の端部とは反対側の他方の端部に垂設される第２側壁とを有し、前記中央壁と前記固定底部と前記第１側壁とによって囲まれる空間により、前記凹部に前記取り付け部材が取り付けられた前記屋根材固定部が嵌め込まれる第１嵌合凹部が形成され、前記中央壁と前記固定底部と前記第２側壁とによって囲まれる空間により、前記凹部に前記取り付け部材が取り付けられた前記屋根材固定部が嵌め込まれる第２嵌合凹部が形成されており、
前記凹部に前記取り付け部材が取り付けられた前記屋根材固定部が、前記第１嵌合凹部又は前記第２嵌合凹部に嵌めこまれている構造。
【請求項２】
前記屋根材固定部は、前記取り付け部材が嵌め込まれる前記凹部を有しており、
前記取り付け部材は、前記凹部に嵌め込まれている請求項１に記載の構造。
【請求項３】
前記屋根材固定部は、前記屋根材本体の端部から建物の構造部材側に向かって延びる第１延出部と、前記第１延出部の端部から前記屋根材本体の内側に向かって延びる第２延出部と、を有し、
前記凹部は、前記屋根材本体と前記第１延出部と前記第２延出部とよって囲まれた部分により形成される請求項１又は２に記載の構造。
【請求項４】
前記取り付け部材は、前記屋根材固定部を建物の構造部材側に向かって押圧した状態で前記屋根材固定部を建物の構造部材に固定している請求項１〜３の何れか一項に記載の構造。
【請求項５】
板状の屋根材本体と、前記屋根材本体の端部から前記屋根材本体の内側に向かって折り返すように形成された屋根材固定部と、を有する屋根材を、取り付け部材及び固定部材を用いて建物の構造部材に固定する方法であって、
前記屋根材固定部は、前記取り付け部材が取り付けられる凹部を有しており、
前記固定部材は、建物の構造部材に固定される板状の固定底部と、前記固定底部の中央部に垂設される中空の中央壁と、前記固定底部の一方の端部に垂設される第１側壁と、前記中央壁に対して前記一方の端部とは反対側の他方の端部に垂設される第２側壁とを有し、前記中央壁と前記固定底部と前記第１側壁とによって囲まれる空間により、前記凹部に前記取り付け部材が取り付けられた前記屋根材固定部が嵌め込まれる第１嵌合凹部が形成され、前記中央壁と前記固定底部と前記第２側壁とによって囲まれる空間により、前記凹部に前記取り付け部材が取り付けられた前記屋根材固定部が嵌め込まれる第２嵌合凹部が形成されており、
前記固定部材を建物の構造部材に固定し、
前記固定部材に接合される前記取り付け部材を前記屋根材固定部の前記凹部に取り付け、
前記屋根材固定部を建物の構造部材側に向けて前記屋根材を建物の構造部材の上に配置し、前記凹部に前記取り付け部材が取り付けられた前記屋根材固定部を、前記第１嵌合凹部又は前記第２嵌合凹部に嵌め込んだ後、前記取り付け部材を前記固定部材に接合する方法。
【請求項６】
前記屋根材固定部は、前記取り付け部材が嵌め込まれる前記凹部を有しており、
前記取り付け部材を前記屋根材固定部に取り付ける際には、前記取り付け部材を前記凹部に嵌め込む請求項５に記載の取り付け方法。
【発明の詳細な説明】
【技術分野】
【０００１】
本発明は、屋根材が取り付け部材を用いて建物の構造部材に固定される構造、そのような構造に用いられる屋根材、及び屋根材を取り付け部材を用いて建物の構造部材に固定する方法に関する。
【背景技術】
【０００２】
従来、建物の屋根は、複数の屋根材が並べられて構成されている。
【０００３】
例えば、建物の屋根には、複数の縦長の屋根材が長手方向に延びる側部同士を突き合わせて、建物の構造部材の上に並べて配置されているものがある。
【０００４】
突き合わされている屋根材の側部の屋外側には、屋根材の側部を屋外側から建物の構造部材側に押圧する取り付け部材が配置されており、この取り付け部材を用いて、屋根材は建物の構造部材に固定されている。
【先行技術文献】
【特許文献】
【０００５】
【特許文献１】特開２００３−２１３８１６号公報
【発明の概要】
【発明が解決しようとする課題】
【０００６】
このように、取り付け部材が屋根材の上に露出していると、屋根材が並んで配置されている外観に対して違和感を与える場合があり、屋根の美観が損なわれるおそれがある。
【０００７】
また、屋根材の上に露出している取り付け部材には、枯葉等のゴミが付着する場合があり、屋根の美観が一層損なわれるおそれもある。
【０００８】
そこで、本明細書では、建物の屋根の美観を低下することなく、屋根材が取り付け部材を用いて建物の構造部材に固定される構造を提供することを目的とする。
【０００９】
また、本明細書では、そのような構造に用いられる屋根材を提供することを目的とする。
【００１０】
さらに、本明細書では、そのような屋根材を取り付け部材を用いて建物の構造部材に固定する方法を提供することを目的とする。
【課題を解決するための手段】
【００１１】
本明細書に開示する構造によれば、屋根材が取り付け部材を用いて建物の構造部材に固定される構造であって、板状の屋根材本体と、上記屋根材本体の端部から上記屋根材本体の内側に向かって折り返すように形成された屋根材固定部と、を有する屋根材と、上記屋根材固定部を建物の構造部材に取り付ける取り付け部材と、を備え、上記屋根材固定部は、上記取り付け部材が取り付けられる凹部を有している。
【００１２】
また、本明細書に開示する屋根材によれば、板状の屋根材本体と、上記屋根材本体の端部から上記屋根材本体の内側に向かって折り返すように形成された屋根材固定部と、を備え、上記屋根材固定部は、上記取り付け部材が取り付けられる凹部を有している。
【００１３】
また、本明細書に開示する方法によれば、板状の屋根材本体と、上記屋根材本体の端部から上記屋根材本体の内側に向かって折り返すように形成された屋根材固定部と、を有する屋根材を、取り付け部材を用いて建物の構造部材に固定する方法であって、上記屋根材固定部は、上記取り付け部材が取り付けられる凹部を有しており、上記屋根材固定部を建物の構造部材側に向けて、上記屋根材を建物の構造部材の上に配置し、取り付け部材を上記屋根材固定部の上記凹部に取り付けて、上記屋根材を建物の構造部材に固定する。
【００１４】
更に、本明細書に開示する方法によれば、板状の屋根材本体と、上記屋根材本体の端部から上記屋根材本体の内側に向かって折り返すように形成された屋根材固定部と、を有する屋根材を、取り付け部材を用いて建物の構造部材に固定する方法であって、上記屋根材固定部は、上記取り付け部材が取り付けられる凹部を有しており、固定部材を建物の構造部材に固定し、上記固定部材に接合される取り付け部材を上記屋根材固定部の上記凹部に取り付け、上記屋根材固定部を建物の構造部材側に向けて上記屋根材を建物の構造部材の上に配置し、上記屋根材固定部に取り付けられた上記取り付け部材を上記固定部材に接合する。
【発明の効果】
【００１５】
本明細書に開示する構造によれば、建物の屋根の美観を低下することなく、屋根材が取り付け部材を用いて建物の構造部材に固定される。
【００１６】
また、本明細書に開示する屋根材によれば、建物の屋根の美観を低下することなく、屋根材が取り付け部材を用いて建物の構造部材に固定される。
【００１７】
更に、本明細書に開示する方法によれば、建物の屋根の美観を低下することなく、屋根材が取り付け部材を用いて建物の構造部材に固定される。
【図面の簡単な説明】
【００１８】
【図１】本明細書に開示する建物を示す図である。
【図２】図１の建物の屋根を示す図である。
【図３】図２のＸ−Ｘ線断面図であり、本明細書に開示する建物の屋根における屋根材が取り付け部材を用いて建物の構造部材に固定される構造の第１実施形態を示す図である。
【図４】屋根材を示す図である。
【図５】取り付け部材を示す図であり、（Ａ）は正面図であり、（Ｂ）は平面図である。
【図６】固定部材を示す図であり、（Ａ）は正面図であり、（Ｂ）は平面図である。
【図７】本明細書に開示する構造の第１変型例を示す図である。
【図８Ａ】本明細書に開示する構造の第２変型例を示す図である。
【図８Ｂ】本明細書に開示する構造の第３変型例を示す図である。
【図９】本明細書に開示する建物の屋根における屋根材が取り付け部材を用いて建物の構造部材に固定される構造の第２実施形態を示す図である。
【図１０】本明細書に開示する建物の屋根における屋根材が取り付け部材を用いて建物の構造部材に固定される構造の第３実施形態を示す図である。
【図１１】本明細書に開示する屋根材を取り付け部材を用いて建物の構造部材に固定する方法の第１実施形態を説明する図（その１）である。
【図１２】本明細書に開示する屋根材を取り付け部材を用いて建物の構造部材に固定する方法の第１実施形態を説明する図（その２）である。
【図１３】本明細書に開示する屋根材を取り付け部材を用いて建物の構造部材に固定する方法の第１実施形態を説明する図（その３）である。
【図１４】本明細書に開示する屋根材を取り付け部材を用いて建物の構造部材に固定する方法の第１実施形態を説明する図（その４）である。
【図１５】本明細書に開示する屋根材を取り付け部材を用いて建物の構造部材に固定する方法の第１実施形態を説明する図（その５）である。
【図１６】本明細書に開示する屋根材を取り付け部材を用いて建物の構造部材に固定する方法の第２実施形態を説明する図（その１）である。
【図１７】本明細書に開示する屋根材を取り付け部材を用いて建物の構造部材に固定する方法の第２実施形態を説明する図（その２）である。
【図１８】本明細書に開示する屋根材を取り付け部材を用いて建物の構造部材に固定する方法の第２実施形態を説明する図（その３）である。
【図１９】本明細書に開示する屋根材を取り付け部材を用いて建物の構造部材に固定する方法の第２実施形態を説明する図（その４）である。
【発明を実施するための形態】
【００１９】
以下、本明細書で開示する構造の好ましい第１実施形態を、図を参照して説明する。但し、本発明の技術範囲はそれらの実施形態に限定されず、特許請求の範囲に記載された発明とその均等物に及ぶものである。
【００２０】
図１は、本明細書に開示する建物を示す図である。図２は、図１の建物の屋根を示す図である。図３は、図２のＸ−Ｘ線断面図であり、本明細書に開示する建物の屋根における屋根材が取り付け部材を用いて建物の構造部材に固定される構造（以下、単に構造ともいう）の第１実施形態を示す図である。
【００２１】
建物６０は勾配を有する屋根６１を備えている。図２に示すように、屋根６１は、複数の縦長の屋根材２０ａ、２０ｂ、２０ｃ、２０ｄを有している。複数の屋根材２０ａ、２０ｂ、２０ｃ、２０ｄは、その長手方向に延びる側部同士を突き合わせて、建物の屋根の部分を形成する構造部材５０の上に並べて配置されている。
【００２２】
図４は、屋根材を示す図である。
【００２３】
図３及び図４に示すように、本実施形態の構造１０は、板状で縦長の屋根材本体２１ａと、屋根材本体２１ａの幅方向の端部から屋根材本体２１ａの内側に向かって折り返すように形成された屋根材固定部２２ａと、を有する屋根材２０ａを備える。ここで、屋根材本体２１ａの長手方向は、屋根材２０ａの長手方向と一致しており、屋根材本体２１ａの幅方向は、屋根材２０ａの長手方向と直行する方向である。
【００２４】
他の屋根材２０ｂ、２０ｃ、２０ｄも、屋根材２０ａと同様の構造を有しており、以下に説明する屋根材２０ａに対する説明は、他の屋根材２０ｂ、２０ｃ、２０ｄに対しても適宜適用される。
【００２５】
図４に示すように、屋根材固定部２２ａは、屋根材本体２１ａの対向する一対の幅方向の端部に形成される。
【００２６】
屋根材固定部２２ａは、屋根材本体２１ａの幅方向の端部から折曲して延びる第１延出部２３ａと、第１延出部２３ａの端部から屋根材本体２１の幅方向の内側に向かって延びる第２延出部２４ａと、を有する。
【００２７】
図３に示すように、第１延出部２３ａは、屋根材本体２１ａの幅方向の端部から建物の構造部材５０側に向かって垂直に延びている。第２延出部２４ａは、第１延出部２３ａの端部から屋根材本体２１の幅方向の内側に向かって垂直に延びている。第１延出部２３ａを形成することにより、後述の取り付け部材３０を用いて、屋根材固定部２２ａを、屋根材２０ａの幅方向の外側に向かって押圧することができるようになる。また、第２延出部２４ａを形成することにより、後述の取り付け部材３０を用いて、屋根材固定部２２ａを建物の構造部材５０側に向かって押圧することができるようになる。
【００２８】
また、図４に示すように、屋根材固定部２２ａは、屋根材本体２１ａと、第１延出部２３ａと、第２延出部２４ａとよって囲まれた固定凹部２５ａを有している。上述した機能を有する第１延出部２３ａと第２延出部２４ａとによって固定凹部２５ａを形成するので、固定凹部２５ａに後述の取り付け部材３０を取り付けることにより、屋根材固定部２２ａを幅方向の外側方向及び建物の構造部材５０側に向かって押圧することができるようになる。
【００２９】
屋根材２０ａの形成材料としては、特に限定されずに各種の材料を適宜用いることができる。例えば、屋根材の形成材料が透光性を有すると、屋根の意匠性を向上する観点から好ましい。透光性を有する屋根材の形成材料としては、合成樹脂又はガラスを用いることができる。合成樹脂としては、具体的には、ポリカーボネート、アクリル、塩化ビニル等が挙げられる。特に、ポリカーボネートは、強度及び成型性のバランスが良く、好適に用いられ得る。
【００３０】
屋根材２０ａに対する上述した説明は、他の屋根材２０ｂ、２０ｃ、２０ｄに対しても適宜適用される。
【００３１】
また、構造１０は、屋根材固定部２２ａを建物の構造部材５０に取り付ける取り付け部材３０を備える。
【００３２】
図５は、取り付け部材を示す図であり、図５（Ａ）は正面図であり、図５（Ｂ）は平面図である。
【００３３】
取り付け部材３０は、屋根材２０ａの屋根材固定部２２ａの固定凹部２５ａの内部に嵌め込まれる形状を有している。具体的には、取り付け部材３０は、正面から見た形状は、矩形の外形を有しており、中空である。取り付け部材３０は、縦長の形状を有しており、屋根材２０ａの長手方向の全体に亘る長さを有している。取り付け部材３０の形成材料としては、例えば、矩形のパイプ材を用いることができる。取り付け部材３０が矩形である場合には、屋根全体の重量軽減の観点からも取り付け部材３０が中空であることが好ましい。取り付け部材３０を屋根材２０ａの長手方向全体に亘る長さに形成すると、どの箇所においても取り付け部材３０を固定部材４０に接合することができるので好ましい。また、取り付け部材３０は、固定部材４０と確実に接合することができるのであれば、ビス等を用いて接合する箇所のみに部分的に配置してもよい。この場合には、取り付け部材３０の材料を削減することができる点及び屋根の重量を軽減することができる点において好ましい。
【００３４】
図３に示すように、取り付け部材３０は、屋根材２０ａの長手方向の全体に亘って、屋根材固定部２２ａの固定凹部２５ａ内に嵌め込まれている。また、取り付け部材３０は、固定凹部２５ａ内に嵌め込また状態で、固定部材４０に接合されている。
【００３５】
図６は、固定部材を示す図であり、図６（Ａ）は正面図であり、図６（Ｂ）は平面図である。
【００３６】
固定部材４０は、縦長の形状を有しており、屋根材２０ａの長手方向の全体に亘る長さを有している。
【００３７】
固定部材４０は、建物の構造部材５０に固定される板状の固定底部４２と、固定底部４２の中央部に垂設される中空の中央壁４３と、固定底部４２の一方の端部側に垂設される第１側壁４４と、他方の端部側に垂設される第２側壁４５とを有する。
【００３８】
固定部材４０は、中央壁４３と固定底部４２と第１側壁４４とによって囲まれる嵌合凹部４１ａを有する。嵌合凹部４１ａは、建物の構造部材５０とは反対側に、即ち屋外側に向かって開放しており、屋根材固定部２２ａが嵌合する形状を有している。図３に示すように、嵌合凹部４１ａには、固定凹部２５ａに取り付け部材３０が嵌め込まれた屋根材固定部２２ａが嵌め込まれている。屋根材２０ａは、屋根材固定部２２ａが嵌合凹部４１ａに嵌め込まれることにより、横方向の動きが規制される。具体的には、屋根材固定部２２ａにおける第２延出部２４ａの幅を嵌合凹部４１ａの幅と略同じにすることで、屋根材２０ａの横方向の動きを規制することができる。この際、取り付け部材３０は、第１延出部２３ａを介して、屋根材固定部２２ａを中央壁４３に向かって押圧している。
【００３９】
同様に、固定部材４０は、中央壁４３と固定底部４２と第２側壁４５とによって囲まれる嵌合凹部４１ｂを有する。嵌合凹部４１ｂには、固定凹部２５ｂに取り付け部材３０が嵌め込まれた屋根材固定部２２ｂが嵌め込まれる。屋根材２０ｂは、屋根材固定部２２ｂが嵌合凹部４１ｂに嵌め込まれることにより、横方向の動きが規制される。
【００４０】
屋根材２０ａの屋根材固定部２２ａと、屋根材２０ｂの屋根材固定部２２ｂとは、中央壁４３を介在させて、突き合わされている。
【００４１】
固定底部４２は、一方の端部がビス４７ａによって建物の構造部材５０に固定されており、他方の端部がビス４７ｂによって建物の構造部材５０に固定されている。このようにして、固定部材４０は、建物の構造部材５０に固定される。ビス４７ａ及びビス４７ｂは、固定部材４０の長手方向において所定の間隔で配置される。
【００４２】
第１側壁４４は、屋根材固定部２２ａの固定凹部２５ａに嵌合した状態の取り付け部材３０と、ビス４６ａを用いて接合されている。屋根材２０ａは、固定凹部２５ａに嵌め込まれた取り付け部材３０が第１側壁４４と接合されることにより、縦方向の動きが規制される。取り付け部材３０は、屋根材固定部２２ａを建物の構造部材５０側に向かって押圧して、屋根材固定部２２ａを建物の構造部材に固定する。具体的には、取り付け部材３０は、第２延出部２４ａを介して、屋根材２０ａを建物の構造部材５０側に向かって押圧している。
【００４３】
また、第１側壁４４と屋根材本体２１ａとの間には緩衝性を有するシール材１３が配置されており、第１側壁４４の長手方向の全体に亘って、屋根材本体２１ａが屋内側から支持されている。
【００４４】
同様に、第２側壁４５は、屋根材固定部２２ｂの固定凹部２５ｂに嵌合した状態の取り付け部材３０と、ビス４６ｂを用いて接合されている。屋根材２０ｂは、固定凹部２５ｂに嵌め込まれた取り付け部材３０が第２側壁４５と接合されることにより、縦方向の動きが規制される。第２側壁４５と屋根材本体２１ｂとの間には緩衝性を有するシール材１３が配置されている。
【００４５】
ビス４６ａ及びビス４６ｂは、固定部材４０の長手方向において所定の間隔で配置される。
【００４６】
このようにして、屋根材２０ａ、２０ｂは、取り付け部材３０及び固定部材４０を用いて、建物の構造部材５０に固定される。
【００４７】
次に、嵌合凹部４１ａ、４１ｂが雨水等を流す樋としても機能することを、以下に説明する。
【００４８】
構造１０では、屋根材２０ａと屋根材２０ｂとの間にはシール材１１及びシール材１１と中央壁４３との間に介在配置されるバックアップ材１２によって、屋外側から建物の構造部材５０側に水が侵入することを防止する水密性が与えられている。通常は、このようにして、雨水等が屋外側から屋根材の内部に侵入することが防止される。
【００４９】
しかし、シール材１１の劣化等により屋外側から水が侵入するおそれがある。屋根材２０ａの屋根材本体２１ａ側から第１延出部２３ａを伝わった水は、嵌合凹部４１ａ内の固定底部４２上に流れてくる。一方、固定部材４０は、屋根の勾配と共に傾いた屋根の構造部材５０上に固定されているので、その長手方向において傾いている。そのため、嵌合凹部４１ａ内に侵入した水は、屋根の高い方から低い方へ向かって嵌合凹部４１ａ内を流れていく。嵌合凹部４１ａの低い方へ流れた水は、図示しない排水手段（例えば、屋根の低いほうの端部に配置される樋など）を用いて屋外に排出される。
【００５０】
上述した構造１０と同様の構造が、屋根材２０ｂと屋根材２０ｃとの間及び屋根材２０ｃと屋根材２０ｄとの間にも配置されている。
【００５１】
上述した本実施形態の構造によれば、屋根材が建物の構造部材に確実に固定される。この際、屋根材を建物の構造部材に固定する屋根材固定部が屋外に露出していないので、建物の屋根の美観が損なわれない。
【００５２】
また、屋根材固定部は、それ自体にはビス等により穴を開けられることなく、取り付け部材及び固定部材を用いて建物の構造部材に固定されているので、屋根材の強度が損なわれることがない。また、ボルト等を貫通させるための下穴を開けるなどの加工も必要なく、更に、ビスにより穴を開けたり、ボルトを貫通させるための下穴を開けたりすることで屋根材が破損するということも防止できる。
【００５３】
次に、上述した構造の第１〜第３変型例を、図面を参照して、以下に説明する。
【００５４】
図７は、本明細書に開示する構造の第１変型例を示す図である。
【００５５】
本変型例の構造１０ａでは、屋根材固定部２２ａと嵌合凹部４１ａとの間に空間が形成されている。具体的には、第１延出部２３ａと中央壁４３との間、及び、第２延出部２４ａと固定底部４２との間に空間が設けられている。さらに、第２延出部２４ａの端部と第１側壁４４との間にも空間が設けられている。
【００５６】
本変型例では、嵌合凹部４１ａ内に侵入した水は、屋根材固定部２２ａと嵌合凹部４１ａとの間の空間を通るので、上述した第１実施形態よりも少ない抵抗で排水される。
【００５７】
本変型例の構造１０ａでは、屋根材２０ａと屋根材２０ｂとは、バックアップ材１２を介して、互いの横方向の動きが規制される。屋根材２０ａ又は屋根材２０ｂの風圧等による変形を許容する観点から、バックアップ材１２は弾性を有していることが好ましい。
【００５８】
また、本変型例の構造１０ａでは、第１延出部２３ａと中央壁４３との間、又は、第２延出部２４ａと固定底部４２との間の何れか一方に空間が設けられていれば良く、両方に空間が設けられていなくても良い。
【００５９】
図８Ａは、本明細書に開示する構造の第２変型例を示す図である。
【００６０】
本変型例の構造１０ｂでは、固定部材４０の第１側壁４４の高さが、上述した実施形態よりも低くなっており、第１側壁４４と屋根材本体２１ａとの間にはシール材が配置されていない。
【００６１】
一方、取り付け部材３０と屋根材本体２１ａとの間には、緩衝性を有するシール材１４が配置されており、取り付け部材３０の長手方向の全体に亘って、屋根材本体２１ａを内側から支持している。
【００６２】
本変型例によれば、シール材１４を介して、第１側壁４４よりも幅の広い取り付け部材３０によって、屋根材２０ａが内側から支持されるので、屋根材２０ａが一層確実に建物の構造部材５０上に固定される。
【００６３】
図８Ｂは、本明細書に開示する構造の第３変型例を示す図である。
【００６４】
本変型例の構造１０ｃでは、取り付け部材３０の形状が、上述した実施形態とは異なっている。上述した第１実施形態では、取り付け部材３０は、中空の矩形形状を有していたが、本変型例では、取り付け部材３０は、屋根材固定部２２ａの第２延出部２４ａと平行な板状の水平部３０ａと、固定部材４０の第１側壁４４と平行な板状の垂直部３０ｂとを有している。水平部３０ａは、垂直部３０ｂにおける建物の構造部材５０とは反対側の端部に垂設されている。
【００６５】
水平部３０ａの両端部それぞれは、屋根材固定部２２ａの固定凹部２５ａ内で、第１側壁４４及び第１延出部２３ａに当接している。屋根材固定部２２ａは、第１延出部２３ａが、水平部３０ａと固定部材４０の中央壁４３及びバックアップ材１２とに挟持されて、横方向の動きが規制されている。
【００６６】
垂直部３０ｂは、ビス４６ａにより、第１側壁４４と接合されている。垂直部３０ｂにおける建物の構造部材５０側の端部は、屋根材固定部２２ａの第２延出部２４ａに当接している。屋根材固定部２２ａは、第２延出部２４ａが垂直部３０ｂと固定部材４０の固定底部４２とに挟持されて、縦方向の動きが規制されている。また、屋根材固定部２２ａの建物の構造部材５０側に向かう縦方向の動きは、第１側壁４４及びシール材１３によっても規制されている。
【００６７】
本変型例では、取り付け部材３０は、例えば、縦長の鉄板を、幅方向にＬ字状に折曲して形成することができる。従って、取り付け部材３０を低いコストで容易に形成することができる。
【００６８】
上述した本変型例では、第２延出部の幅が、嵌合凹部の幅と同じであった。しかし、例えば、第２延出部の幅が、嵌合凹部の幅よりも短い場合には、取り付け部材３０が、第１延出部を中央壁側に向かって押圧するようにして、屋根材固定部の横方向の動きを規制することが好ましい。具体的には、水平部３０ａの幅を調節して、水平部３０ａが第１延出部を中央壁側に向かって押圧するようにすれば良い。
【００６９】
次に、上述した構造の他の実施形態を、図９及び図１０を参照しながら以下に説明する。他の実施形態について特に説明しない点については、上述の第１実施形態に関して詳述した説明が適宜適用される。また、同一の構成要素には同一の符号を付してある。
【００７０】
図９は、本明細書に開示する建物の屋根における屋根材が取り付け部材を用いて建物の構造部材に固定される構造の第２実施形態を示す図である。
【００７１】
本実施形態の構造１０ｄでは、固定部材の構造が、上述した第１実施形態とは異なっている。
【００７２】
本実施形態では、固定部材７０は、屋根材固定部２２ａ、２２ｂを嵌合して固定する固定部本体７０ａと、固定部本体７０ａを建物の構造部材５０に固定する固定補助部７０ｂ、７０ｃとを有する。
【００７３】
固定部本体７０ａは、建物の構造部材５０に固定される板状の固定底部７２と、固定底部７２の中央部に垂設される中空の中央壁７３と、固定底部７２の一方の端部に垂設される第１側壁７４と、他方の端部に垂設される第２側壁７５とを有する。
【００７４】
また、固定部本体７０ａは、中央壁７３と固定底部７２と第１側壁７４とによって囲まれる嵌合凹部７１ａ、及び、中央壁７３と固定底部７２と第２側壁７５とによって囲まれる嵌合凹部７１ｂを有する。嵌合凹部７１ａには、屋根材２０ａの屋根材固定部２２ａが嵌合され、嵌合凹部７１ｂには、屋根材２０ｂの屋根材固定部２２ｂが嵌合される。
【００７５】
固定補助部７０ｂは、固定部本体７０ａの第１側壁７４を建物の構造部材５０に固定する。固定補助部７０ｂは、Ｌ字状の形状を有しており、Ｌ字を形成する一方の板状の部分がビス７７ａを用いて建物の構造部材５０に固定される。また、固定補助部７０ｂは、Ｌ字を形成する他方の板状の部分が第１側壁７４を係止すると共に、ビス７６ａを用いて第１側壁７４と接合される。固定補助部７０ｂは、第１側壁７４が変形することを防止して、固定部本体７０ａを補強する。
【００７６】
同様に、固定補助部７０ｃは、固定部本体７０ａの第２側壁７５を建物の構造部材５０に固定する。固定補助部７０ｃは、Ｌ字状の形状を有しており、Ｌ字を形成する一方の板状の部分がビス７７ｂを用いて建物の構造部材５０に固定される。また、固定補助部７０ｃは、Ｌ字を形成する他方の板状の部分が第２側壁７５を係止すると共に、ビス７６ｂを用いて第２側壁７５と接合される。固定補助部７０ｃは、第２側壁７５が変形することを防止して、固定部本体７０ａを補強する。
【００７７】
ビス７６ａ及び７６ｂ並びにビス７７ａ、７７ｂは、固定部材７０の長手方向において所定の間隔で配置される。
【００７８】
このようにして、固定部本体７０ａは、固定補助部７０ｂ、７０ｃを用いて、建物の構造部材５０に固定される。
【００７９】
本実施形態では、固定部本体７０ａと固定補助部７０ｂと固定補助部７０ｃとは、別個の部品であるので、固定部本体７０ａと固定補助部７０ｂ又は固定補助部７０ｃとの間の相対的な位置関係を、所定の範囲内で調整可能である。従って、屋根材２０ａ及び屋根材２０ｂを建物の構造部材５０に固定する際に、屋根材２０ａ及び屋根材２０ｂの位置関係にズレが生じても、固定部本体７０ａと固定補助部７０ｂ又は固定補助部７０ｃとの間の位置関係を調整することにより、屋根材２０ａ及び屋根材２０ｂを建物の構造部材５０に確実に固定することができる。
【００８０】
図１０は、本明細書に開示する建物の屋根における屋根材が取り付け部材を用いて建物の構造部材に固定される構造の第３実施形態を示す図である。
【００８１】
本実施形態では、構造１０ｅは、取り付け部材及び固定部材の構造が、上述した第１実施形態とは異なっている。
【００８２】
屋根材２０ａ及び屋根材２０ｂは、屋根材固定部２２ａ及び屋根材固定部２２ｂが固定部材８０を挟持するように並べて建物の構造部材５０上に配置される。
【００８３】
固定部材８０は、中空の矩形形状を有している。固定部材８０は、ビス８８を用いて建物の構造部材５０に固定される。
【００８４】
ビス８８は、固定部材７０の長手方向において所定の間隔で配置される。
【００８５】
取り付け部材３１は、屋根材固定部２２ａの固定凹部２５ａに取り付けられている。取り付け部材３１は、屋根材固定部２２ａの第２延出部２４ａを建物の構造部材５０側に向かって押圧する板状の押圧部３１ａと、建物の構造部材５０に固定される板状の固定部３１ｂとを有する。
【００８６】
固定部３１ｂは、ビス８７ａを用いて建物の構造部材５０に固定される。
【００８７】
押圧部３１ａは、固定部３１ｂの端部から段差状に延出しており、押圧部３１ａと建物の構造部材５０との間の段差による空隙の寸法は、第２延出部２４ａの厚さと等しくなっている。
【００８８】
本実施形態の取り付け部材３１は、押圧部３１ａが、第２延出部２４ａを建物の構造部材５０側に向かって押圧して、屋根材固定部２２ａを建物の構造部材５０に固定する。屋根材固定部２２ａの縦方向の動きは、屋根材固定部２２ａの第２延出部２４ａが押圧部３１ａと建物の構造部材５０とに挟持されて規制される。
【００８９】
また、屋根材固定部２２ａの横方向の動きは、屋根材固定部２２ａが、固定部材８０及びバックアップ材１２と取り付け部材３１とに挟まれて規制される。
【００９０】
同様に、屋根材２０ｂの屋根材固定部２２ｂは、取り付け部材３１を用いて、建物の構造部材５０に固定される。
【００９１】
ビス８７ａ及び８７ｂは、取り付け部材３１の長手方向において所定の間隔で配置される。
【００９２】
本実施形態の構造１０ｄによれば、上述した第１実施形態よりも簡易な構造を有する取り付け部材及び固定部材を用いて、屋根材が建物の構造部材に固定される。
【００９３】
次に、本明細書に開示する屋根材を取り付け部材を用いて建物の構造部材に固定する方法の好ましい第１実施形態を、図面を参照して、以下に説明する。
【００９４】
以下に説明する方法は、図３に示す構造を用いて、屋根材を取り付け部材を用いて建物の構造部材に固定するものである。
【００９５】
まず、図１１に示すように、固定部材４０の嵌合凹部４１ａ、４１ｂの開放側を建物の構造部材５０とは反対側に向けて、ビス４７ａ、４７ｂを用いて、固定部材４０を建物の構造部材５０に固定する。そして、シール材１３を、固定部材４０の第１側壁４４の上に配置する。
【００９６】
次に、図１２に示すように、取り付け部材３０を屋根材２０ａの屋根材固定部２２ａにおける固定凹部２５ａに嵌め込むように、取り付け部材４０を屋根材固定部２２ａに取り付ける。
【００９７】
次に、図１３に示すように、屋根材固定部２２ａを嵌合凹部４１ａと対向するように建物の構造部材５０側に向けて屋根材２０ａを建物の構造部材５０の上に配置し、固定凹部２５ａに取り付け部材３０が嵌め込まれた屋根材固定部２２ａを嵌合凹部４１ａに嵌め込む。
【００９８】
次に、図１４に示すように、ビス４６ａを用いて、屋根材固定部２２ａに取り付けられた取り付け部材３０を固定部材４０の第１側壁４４に接合する。このようにして、屋根材２０ａは、取り付け部材３０及び固定部材４０を用いて、建物の構造部材５０に固定される。
【００９９】
次に、図１５に示すように、屋根材２０ｂの屋根材固定部２２ｂを、屋根材２０ａと同様にして、建物の構造部材５０に固定する。そして、屋根材２０ａと屋根材２０ｂとの間にバックアップ材１２及びシール材１１を配置して、図３に示す構造が得られる。
【０１００】
次に、本明細書に開示する屋根材を取り付け部材を用いて建物の構造部材に固定する方法の好ましい第２実施形態を、図面を参照して、以下に説明する。
【０１０１】
以下に説明する方法は、図１０に示す構造を用いて、屋根材を取り付け部材を用いて建物の構造部材に固定するものである。
【０１０２】
まず、図１６に示すように、固定部材８０を、ビス８８を用いて、建物の構造部材５０上に固定する。
【０１０３】
次に、図１７に示すように、屋根材固定部２２ａを建物の構造部材５０側に向けて、屋根材固定部２２ａの第１延出部２３ａと固定部材８０とが当接するように、屋根材２０ａを建物の構造部材５０の上に配置する。
【０１０４】
次に、図１８に示すように、取り付け部材３１を用いて、屋根材固定部２２ａを建物の構造部材５０に固定する。この際、取り付け部材３１の押圧部３１ａが屋根材固定部２２ａの第２延出部２４ａを建物の構造部材５０側に向かって押圧するように、取り付け部材３１の固定部３１ｂを、ビス８７ａを用いて建物の構造部材５０に固定する。
【０１０５】
次に、図１９に示すように、屋根材２０ｂの屋根材固定部２２ｂを、屋根材２０ａと同様にして、建物の構造部材５０に固定する。そして、屋根材２０ａと屋根材２０ｂとの間にバックアップ材１２及びシール材１１を配置して、図１０に示す構造が得られる。
【０１０６】
本発明では、上述した実施形態の構造及び屋根材及び方法は、本発明の趣旨を逸脱しない限り適宜変更が可能である。また、一の実施形態又はその変型例が有する構成要件は、他の実施形態又は変型例にも適宜適用することができる。
【０１０７】
例えば、上述した各実施形態の屋根材では、屋根材固定部の第１延出部は、屋根材本体の幅方向の端部から建物の構造部材側に向かって垂直に延びていたが、第１延出部は垂直に延びていなくても良い。同様に、屋根材固定部の第２延出部は、第１延出部の端部から屋根材本体の幅方向の内側に向かって垂直に延びていたが、第２延出部は垂直に延びていなくても良い。
【０１０８】
また、上述した各実施形態の屋根材では、屋根材固定部は、それ自体にはビス等により穴を開けられることがなく、取り付け部材又は固定部材を用いて建物の構造部材に固定されていたが、屋根材固定部は、穴を開けてビス等を用いて建物の構造部材に固定されても良い。
【符号の説明】
【０１０９】
１０    構造
１１    シール材
１２    バックアップ材
１３    シール材
１４    シール材
２０ａ、２０ｂ、２０ｃ、２０ｄ    屋根材
２１ａ、２１ｂ    屋根材本体
２２ａ、２２ｂ    屋根材固定部
２３ａ    第１延出部
２４ａ    第２延出部
２５ａ、２５ｂ    固定凹部（凹部）
３０    取り付け部材
３１    取り付け部材
４０    固定部材
４１    嵌合凹部
４２    固定底部
４３    中央壁
４４    第１側壁
４５    第２側壁
４６ａ、４６ｂ    ビス
４７ａ、４６ｂ    ビス
５０    建物の構造部材
６０    建物
６１    屋根
７０    固定部材
８０    固定部材
【図１】
0005896654.tif 000002
【図２】
0005896654.tif 000003
【図３】
0005896654.tif 000004
【図４】
0005896654.tif 000005
【図５】
0005896654.tif 000006
【図６】
0005896654.tif 000007
【図７】
0005896654.tif 000008
【図８Ａ】
0005896654.tif 000009
【図８Ｂ】
0005896654.tif 000010
【図９】
0005896654.tif 000011
【図１０】
0005896654.tif 000012
【図１１】
0005896654.tif 000013
【図１２】
0005896654.tif 000014
【図１３】
0005896654.tif 000015
【図１４】
0005896654.tif 000016
【図１５】
0005896654.tif 000017
【図１６】
0005896654.tif 000018
【図１７】
0005896654.tif 000019
【図１８】
0005896654.tif 000020
【図１９】
0005896654.tif 000021